(57)【要約】【課題】この発明は、物干し竿などに着脱可能で固定することができ、衣類等を吊るしたハンガーを一定の間隔を空けて複数本掛けることができ、風などでハンガーが落下することを防ぐことができることを目的とする。【解決手段】一端に噛合部を、他端にハンドル部を有し、噛合部を開閉することができるピンチ部と、前記ピンチ部の側面に本体部を有したハンガー掛けであって、前記噛合部の内径が物干し竿の外径より小さいことで物干し竿を挟み固定されるようになされ、前記本体部について、前記本体部の側面にハンガー落下防止部を備え、前記本体部から上方に延びる突起部を備え、前記突起部は前記本体部の長手方向に沿って離間して複数個形成されていることを特徴とするハンガー掛け。【選択図】    図１
2007098160.tif 000002
【特許請求の範囲】
【請求項１】
一端に噛合部を、他端にハンドル部を有し、噛合部を開閉することができるピンチ部と、前記ピンチ部の側面に本体部を有したハンガー掛けであって、前記噛合部の内径が物干し竿の外径より小さいことで物干し竿を挟み固定されるようになされ、前記本体部について、前記本体部から上方に延びる突起部を備え、前記突起部は前記本体部の長手方向に沿って離間して複数個形成されていることを特徴とするハンガー掛け。
【請求項２】
前記突起部において貫通穴を有することを特徴とする請求項１記載のハンガー掛け。
【請求項３】
一端に噛合部を、他端にハンドル部を有し、噛合部を開閉することができるピンチ部と、前記ピンチ部の側面に本体部を有したハンガー掛けであって、前記噛合部の内径が物干し竿の外径より小さいことで物干し竿を挟み固定されるようになされ、前記本体部について、前記本体部の側面にハンガー落下防止部を備え、前記本体部から上方に延びる突起部を備え、前記突起部は前記本体部の長手方向に沿って離間して複数個形成されていることを特徴とするハンガー掛け。
【請求項４】
弾性を有するフック部の上部に本体部が設けられており、前記フック部の内径が物干し竿の外径より小さく弾性に抗して物干し竿を挟み固定されるようになされ、前記本体部について、前記本体部から上方に延びる突起部を備え、前記突起部は前記本体部の長手方向に沿って離間して複数個形成されていることを特徴とするハンガー掛け。
【発明の詳細な説明】
【技術分野】
【０００１】
この発明は、物干し竿などに着脱可能で固定することができ、衣類等を吊るしたハンガーを一定の間隔を空けて複数本掛けることができ、風などでハンガーが落下することを防ぐことができるハンガー掛けに関するものである。
【背景技術】
【０００２】
従来のハンガー掛けは、複数本のハンガーを一定の間隔で掛けるものであり、隣のハンガーとの間隔をあけることで、ハンガーに掛けてある衣類等が乾き易いようになっていた。
このような複数本のハンガーを掛けられるハンガー掛けは、ハンガーを挿入するための貫通穴を複数有したもので、貫通穴に個々のハンガーを挿入することで一定間隔を保ちながら衣類等を干すことができた。
なお、ハンガー掛けは物干し竿に固定するのではなく、フック部を物干し竿に引っ掛けて使用する発明が知られている（特許文献１）。
【特許文献１】特開２０００−５０３１号広報
【発明の開示】
【発明が解決しようとする課題】
【０００３】
そのために、次のような問題点があった。
ハンガー上部を一本ずつ貫通穴に通すときに、ハンガー掛けが物干し竿に対し固定されていないためハンガー掛けが揺れて動いてしまうことから、貫通穴にハンガー上部を一本ずつ挿入するのに手間がかかった。
また、ハンガー掛けのフック部を物干し竿に引っ掛けているだけで物干し竿に固定されていないため、風の強い日にはハンガー掛けが揺らされて動いてしまうことで、ハンガーに掛けてある衣類等がずれて落ちてしまうことがあった。
本発明は、以上の問題点を解決するためになされたものである。
【課題を解決するための手段】
【０００４】
第１の発明（請求項１記載の発明）は、一端に噛合部を、他端にハンドル部を有し、噛合部を開閉することができるピンチ部と、前記ピンチ部の側面に本体部を有したハンガー掛けであって、前記噛合部の内径が物干し竿の外径より小さいことで物干し竿を挟み固定されるようになされ、前記本体部について、前記本体部から上方に延びる突起部を備え、前記突起部は前記本体部の長手方向に沿って離間して複数個形成されている。以上を特徴とするハンガー掛けである。
【０００５】
また、第２の発明（請求項２記載の発明）は、上記第１の発明において、ハンガー掛けの前記突起部に貫通穴を有している。以上を特徴とするハンガー掛けである。
【０００６】
また、第３の発明（請求項３記載の発明）は、一端に噛合部を、他端にハンドル部を有し、噛合部を開閉することができるピンチ本体と、前記ピンチ部の側面に本体部を有したハンガー掛けであって、前記噛合部の内径が物干し竿の外径より小さいことで物干し竿を挟み固定されるようになされ、前記本体部について、前記本体部の側面にハンガー落下防止部を備え、前記本体部から上方に延びる突起部を備え、前記突起部は前記本体部の長手方向に沿って離間して複数個形成されている。以上を特徴とするハンガー掛けである。
【０００７】
第４の発明（請求項４記載の発明）は、弾性を有するフック部の上部に本体部が設けられており、前記フック部の内径が物干し竿の外径より小さく弾性に抗して物干し竿を挟み固定されるようになされ、前記本体部について、前記本体部から上方に延びる突起部を備え、前記突起部は前記本体部の長手方向に沿って離間して複数個形成されている。以上を特徴とするハンガー掛けである。
【発明の効果】
【０００８】
ハンガー掛けを物干し竿にしっかり固定することで、物干し竿に対し固定した位置を保ち、ハンガー掛けが揺れて動いてしまうことを防ぐことができる。
また、挿入穴にハンガーの上部を通さなくても、複数本のハンガーを一定の間隔を保ちながらハンガー掛けに簡単に掛けることができる。
【発明を実施するための最良の形態】
【０００９】
以下、本発明の実施の形態を説明する。
【実施例１】
【００１０】
（第１の実施形態）図１〜図７に、本発明の第１の実施形態によるハンガー掛け１００の構成例を示す。
このハンガー掛け１００は、従来使用されている物干し竿１１２に着脱自在に装着されるものであり、ハンガー１１３をかける本体部１０２と、物干し竿１１２に固定するためのピンチ部１０１とで形成されている。
ピンチ部１０１について、一端に噛合部１０６を、他端にハンドル部１０５を有するように組み合わされた一対の対向状に構成されているピンチ１０３とピンチ１０４からなり、ピンチ１０３とピンチ１０４に渡し止められているリング状ばね１０７を備えることにより、噛合部１０６を開閉できる構造となっている。
噛合部１０６の内径が物干し竿１１２の外径より小さいことで物干し竿１１２を挟み固定される構造となっている。
本体部１０２から上方に延びる突起部１０８を有し、突起部１０８は本体部１０２の長手方向に沿って離間して複数個形成されており、突起部１０８と突起部１０８との間にあるハンガー掛け用凹部１０９にハンガー１１３を掛けることで、一定間隔を保ちながら衣類等を干すことができる。
なお、少なくともハンガー掛け用凹部１０９にハンガー１１３を掛けることができるものであれば、突起部１０８について、大きさ，長さ，形状等が特に限定されるものではない。
また、ハンガー掛け１００について、ピンチ部１０１と本体部１０２が取り外し可能な構造でも良い。
【００１１】
突起部１０８の中央には貫通穴１１０が設けられており、ハンガー１１３を貫通穴１１０に通すことで、ハンガー１１３を固定することができる構造になっている。
また、ハンガー１１３を貫通穴１１０に通した際、強い風が吹いた時にハンガー１１３がずれ動くことを防止するために、貫通穴１１０の下部には窪み部１１１を設ける構造になっている。
なお、少なくとも貫通穴１１０にハンガー１１３を掛けることができるものであれば、貫通穴１１０について、大きさ、形状等が特に限定されるものではない。
【００１２】
本発明の実施例１は以上の構成からなるので、次に本発明ハンガー掛け１００の使用方法について説明する。
まず、図３のように噛合部１０６を開き、物干し竿１１２に挟み込むことで、ハンガー掛け１００を物干し竿１１２に固定する。
図４のようにハンガー掛け１００を物干し竿１１２に取り付けた後、図７のようにハンガー１１３をハンガー掛け用凹部１０９、または貫通穴１１０に掛けることで、ハンガー１１３に掛けてある衣類等を干すことができる。
本体部１０２について、ハンガー掛け用凹部１０９がフレーム部１０２の長手方向に沿って等間隔に離間して複数個形成されていることで、図７のようにハンガー掛け用凹部１０９に複数のハンガー１１３を掛けたときに、隣り合うハンガー掛け用凹部１０９の幅Ｌの間隔を空けてハンガー１１３を掛けることで、ハンガー１１３に掛けてある衣類等と衣類等の間に風が通ることにより衣類等を早く乾かすことができる。
また、図７のように、貫通穴１１０にハンガー１１３を掛けることで、貫通穴１１０とハンガー掛け用凹部１０９の幅１／２の間隔を空けてハンガー１１３を掛けることができるため、ハンガー掛け用凹部１０９のみ利用する場合に比べ、より多くハンガー１１３を掛けることができる。
なお、風の強い日に衣類を干す場合において、窪み部１１１にハンガー１１３を固定することができることから、ハンガー掛け１００からハンガー１１３が外れることを防ぐことができる。
【実施例２】
【００１３】
（第２の実施形態）図８〜図１３に、本発明の第２の実施形態によるハンガー掛け２００の構成例を示す。
ハンガー掛け２００は、従来使用されている物干し竿２１２に着脱自在に装着されるものであり、ハンガー２１３をかける本体部２０２と、物干し竿２１２に固定するためのピンチ部２０１とで形成されている。
ピンチ部２０１について、一端に噛合部２０６を、他端にハンドル部２０５を有するように組み合わされた一対の対向状に構成されているピンチ２０３とピンチ２０４からなり、ピンチ２０３とピンチ２０４に渡し止められているリング状ばね２０７を備えることにより、噛合部２０６を開閉できる構造となっている。
噛合部２０６の内径が物干し竿２１２の外径より小さいことで物干し竿２１２を挟み固定される構造となっている。
ハンガー掛け２００について、図９のようにピンチ部２０１の側面には本体部２０２が形成されており、ピンチ部２０１を物干し竿２１２に固定して使用する。
本体部２０２から上方に延びる突起部２０８を有し、突起部２０８は本体部２０２の長手方向に沿って離間して複数個形成されており、突起部２０８と突起部２０８との間にあるハンガー掛け用凹部２０９にハンガー２１３を掛けることで、一定間隔を保ちながら衣類等を干すことができる。
なお、少なくともハンガー掛け用凹部２０９にハンガー２１３を掛けることができるものであれば、突起部２０８について、大きさ，長さ，形状等が特に限定されるものではない。
本体部２０２について、本体部２０２の側面にハンガー落下防止部２１４を備えている。
ハンガー落下防止部２１４について、ハンガー掛け用凹部２０９にハンガー２１３を掛ける際、強い風によりハンガー２１３が揺らされたとき、図１２のようにハンガー２１３がハンガー落下防止部２１４に当たることにより、物干し竿２１２に対して回転して落下してしまうことを防ぐことができる。
なお、少なくともハンガー落下防止部２１４がハンガー掛け用凹部２０９に掛けてあるハンガー２１３の揺れと落下を防止することができれば、ハンガー落下防止部２１４について、大きさ，長さ，形状等が特に限定されるものではない。
また、ハンガー掛け２００について、ピンチ部２０１と本体部２０２とハンガー落下防止部２１４が取り外し可能な構造でも良い。
【実施例３】
【００１４】
（第３の実施形態）図１４〜図１６に、本発明の第３の実施形態によるハンガー掛け３００の構成例を示す。
ハンガー掛け３００は、図１５に示すように、従来使用されている物干し竿３１２に着脱自在に装着されるものであり、ハンガー３１３をかける本体部３０２と、物干し竿３１２に固定するためのフック部３１５とで形成されている。
フック部３１５について、フック部３１５の内径が物干し竿３１２の外径より小さく弾性に抗して物干し竿３１２を挟み固定されるように形成されている。
ハンガー掛け３００について、フック部３１５の側面には本体部３０２が形成されており、フック部３１５を物干し竿３１２に固定して使用する。
本体部３０２から上方に延びる突起部３０８を有し、突起部３０８は本体部３０２の長手方向に沿って離間して複数個形成されており、突起部３０８と突起部３０８との間にあるハンガー掛け用凹部３０９にハンガー３１３を掛けることで、一定間隔を保ちながら衣類等を干すことができる。
なお、少なくともハンガー掛け用凹部３０９にハンガー３１３を掛けることができるものであれば、突起部３０８について、大きさ，長さ，形状等が特に限定されるものではない。
突起部３０８の中央には貫通穴３１０が設けられており、ハンガー３１３を貫通穴３１０に通すことで、ハンガー３１３を固定することができる構造になっている。
また、ハンガー３１３を貫通穴３１０に通した際、強い風が吹いた時にハンガー３１３がずれ動くことを防止するために、貫通穴３１０の下部には窪み部３１１を設ける構造になっている。
なお、少なくとも貫通穴３１０にハンガー３１３を掛けることができるものであれば、貫通穴３１０について、大きさ、形状等が特に限定されるものではない。
また、ハンガー掛け３００について、ピンチ部３０１と本体部３０２が取り外し可能な構造でも良い。
【図面の簡単な説明】
【００１５】
【図１】本発明の第１の実施例によるハンガー掛け１００の構成を説明するための図である。（実施例１）
【図２】図１のハンガー掛け１００のピンチ部１０１を閉じた状態を示す図である。（実施例１）
【図３】図１のハンガー掛け１００のピンチ部１０１を開いた状態を示す図である。（実施例１）
【図４】図１のハンガー掛け１００を物干し竿１１２に装着した状態を示す図である。（実施例１）
【図５】図４のハンガー掛け１００にハンガー１１３を掛けた状態を示すI−I線に沿う断面図である。（実施例１）
【図６】図４のハンガー掛け１００のII−II線に沿う側面図である。（実施例１）
【図７】図４のハンガー掛け１００にハンガー１１３を掛けた状態を示すII−II線に沿う側面図である。（実施例１）
【図８】本発明の第２の実施例によるハンガー掛け２００の構成を説明するための図である。（実施例２）
【図９】図８のハンガー掛け２００を物干し竿２１２に装着した状態を示す図である。（実施例２）
【図１０】図９のハンガー掛け２００にハンガー２１３を掛けた状態を示すIII−III線に沿う側面図である。（実施例２）
【図１１】図９のハンガー掛け２００にハンガー２１３を掛けた状態を示すIV−IV線に沿う断面図である。（実施例２）
【図１２】図９のハンガー掛け２００でハンガー２１３が風で揺れた状態を示すIV−IV線に沿う断面図である。（実施例２）
【図１３】図９のハンガー掛け２００にハンガー２１３が風で揺れた他の状態を示すIV−IV線に沿う断面図である。（実施例２）
【図１４】本発明の第３の実施例によるハンガー掛け３００の構成を説明するための図である。（実施例３）
【図１５】図１４のハンガー掛け３００を物干し竿３１２に装着した状態を示す図である。（実施例３）
【図１６】図１５のハンガー掛け３００にハンガー３１３を掛けた状態を示すV−V線に沿う側面図である。（実施例３）
【符号の説明】
【００１６】
１００、２００、３００    ハンガー掛け
１０１、２０１    ピンチ部  
１０２、２０２、３０２    本体部
１０３、１０４、２０３、２０４    ピンチ
１０５、２０５    ハンドル部
１０６、２０６    噛合部
１０７、２０７    リング状ばね
１０８、２０８、３０８    突起部
１０９、２０９、３０９    ハンガー掛け用凹部
１１０、３１０    貫通穴
１１１、３１１    窪み部
１１２、２１２、３１２    物干し竿
１１３、２１３、３１３    ハンガー
２１４、ハンガー落下防止部
３１５．フック部
【図１】
2007098160.tif 000003
【図２】
2007098160.tif 000004
【図３】
2007098160.tif 000005
【図４】
2007098160.tif 000006
【図５】
2007098160.tif 000007
【図６】
2007098160.tif 000008
【図７】
2007098160.tif 000009
【図８】
2007098160.tif 000010
【図９】
2007098160.tif 000011
【図１０】
2007098160.tif 000012
【図１１】
2007098160.tif 000013
【図１２】
2007098160.tif 000014
【図１３】
2007098160.tif 000015
【図１４】
2007098160.tif 000016
【図１５】
2007098160.tif 000017
【図１６】
2007098160.tif 000018